(57)【特許請求の範囲】
【請求項１】
内部空間を画定する周壁を有し、該周壁が、該内部空間と外部とを連通するポートが設けられたポート部を備えるケーシングと、
該ケーシング内に設定されて、該ポートに連通される流路を備える接続管と
を備える流体装置であって、
該ケーシングが、該内部空間内で該ポート部から間隔をあけて設けられ、該流路が該ポートに連通された該接続管を支持する接続管支持部であって、該ポート部に対向するポート部対向面と、該接続管を通す取付用開口部を備える接続管支持部を備え、
該接続管が、該接続管の外周面から半径方向外側に延びて該接続管支持部と該ケーシングの該ポート部との間に設定される締着用突起とを有し、
該取付用開口部は、該接続管の該流路を該ポートに連通するために、該接続管を該ポートにその長手軸線方向で整合しながら該ポート部に近づけるときに、該接続管及び該接続管の外周面から突出する締着用突起を通すように形状付けられ、
該接続管は、該締着用突起が該取付用開口部を通過し、該接続管の該流路が該ポートに連通された状態で、該接続管を該長手軸線の周りで回動することにより、該締着用突起が該接続管支持部とポート部との間に挿入されることにより該長手軸線方向で保持されるようにした流体装置。
【請求項２】
該締着用突起は、該締着用突起が該取付用開口部を通過した状態で該接続管を該長手軸線の周りで回動することにより、該接続管支持部の該ポート部対向面と摺動係合することにより該ポート部に向けて変位され、該接続管を該ポート部に向けて押圧するようにした請求項１に記載の流体装置。
【請求項３】
該接続管が、該長手軸線の周りで環状とされて該ポート部の内側面に面する接続端面を有し、該接続管を該ポート部に向けて押圧されることにより該接続端面が該ポート部の内側面に向けて押圧するようにされた請求項２に記載の流体装置。
【請求項４】
該接続端面が該長手軸線の周りで環状とされたシールリングを支持し、該接続端面は該シールリングを介して該ポート部の内側面に向けて押圧されるようにされた請求項３に記載の流体装置。
【請求項５】
該接続管が、該接続端面から該ポート内に挿入されるように延びる接続管部を有する請求項３又は４に記載の流体装置。
【請求項６】
該締着用突起は、該長手軸線の周りで周方向に順に配置された薄肉部と厚肉部とを有し、該締着用突起が該取付用開口部を通過し、該接続管の該流路を該ポートに連通させた状態で当該接続管を該長手軸線の周りで回動するとき、薄肉部及び厚肉部の順で該接続管支持部の該ポート部対向面と摺動するようにされ、該薄肉部は該厚肉部に向かって周方向で次第に肉厚となるようにされている請求項１乃至５のいずれか一項に記載の流体装置。
【請求項７】
該ポート部対向面における該締着用突起と摺動される部分が摺動方向において次第に該ポート部に近づくような傾斜面とされている請求項１乃至５のいずれか一項に記載の流体装置。
【請求項８】
該接続管及び該ケーシングの一方が、該接続管が該長手軸線の周りで回動されるときに、該接続管及び該ケーシングの他方に摺動係合して撓む弾性係合部を有し、該接続管及び該ケーシングの他方は、該接続管の該ポート部の該内側面に向けての該押圧がなされたときに、該弾性係合部がスナップ係合して該接続管が逆方向に回動するのを阻止するスナップ係止部を有する請求項２乃至５のいずれか一項に記載の流体装置。
【請求項９】
該接続管支持部の該ポート部対向面が段部を有し、該接続管が該長手軸線の周りで回動されて該接続管の該ポート部の該内側面に向けての該押圧がなされたときに、該回動方向で該段部が締着用突起と係合して該接続管が更に回動しないようにした請求項２乃至５のいずれか一項に記載の流体装置。
【請求項１０】
該ケーシングの周壁が底壁部と、該底壁部の周縁から立ち上がる側壁部とを有し、該ポート部が該側壁部に設けられ、該接続管支持部が該ポート部から間隔を開けて該底壁部から立ち上がり該底壁部に平行な直線状の上縁部で終端する板状の形状とされ、該取付用開口部は該上縁部から該底壁部に向けて形成された凹部とされている請求項１乃至９のいずれか一項に記載の流体装置。
【発明の詳細な説明】
【技術分野】
【０００１】
本発明はブロワなどの流体装置に関する。
【背景技術】
【０００２】
ブロワは、通常、エアポンプがケーシング内に設定され、該エアポンプから吐出されるエアは、ケーシング内のタンクに受け入れられてその脈動を低減された後、ケーシングのエア排出ポートから外部に排出される。ケーシング内部を仕切って、その一部をタンクとしている形式のものでは、エアは該タンクから直接エア排出ポートを通り排出されるが（特許文献１）、ケーシングとは別体に設けられたタンクがケーシング内に収納された形式のものでは、タンクとエア排出ポートを連通する接続管が設けられ、該接続管を通して排出ポートから排出される（特許文献２）。
【０００３】
特許文献２に開示されるようなケーシングとは別体のタンクを備えるブロワにおいては、上記接続管は、ケーシングから外側に突出するように設けられるエア排出ポートの外側から当該ポート内に挿入されて、その先端部分をタンクのエア排出開口に設けられたダイアフラム状の制振用開口部材に通され、該エア排出ポートの内周面に接着剤などにより固定される。しかし、そのようにして設定された接続管は、排出ポートの内周面との固着が外れ、該排出ポートから抜け出してしまう虞がある。
【０００４】
特許文献１には、エアポンプから吐出されるエアをタンクに供給するエア吐出管を支持するのに、ポンプ収納室とタンクとの間の仕切り壁を上下に分割し、その分割縁に切欠きを設け、エア吐出管の周囲には仕切り壁の厚さに対応する溝を備えるシール部を設け、該溝を仕切り壁の切欠きの縁に沿って摺動することにより当該シール部を切欠き嵌合した後、上下の仕切り壁で挟んでエア吐出管を固定する技術が開示されている。この技術は、上述した文献２に開示されるように管を接着により固定するのとは異なり、固定した管が外れてしまう虞は少なくなるが、ケーシングを貫通するように設けられるポートに管を直接接続する必要のあるものには適用できない。
【０００５】
また、従来の技術としては、特許文献１に開示されたものと同様に、ケーシングを上下に分割して、分割縁に切り欠きを設けて、その切り欠きに管を嵌合し、上下のケーシングで挟んで、これをエア排出ポートもしくはエア導入ポートとするものがある（特許文献３）。
【先行技術文献】
【特許文献】
【０００６】
【特許文献１】実公平８−５３５号
【特許文献２】特開２０００-４５９４３号
【特許文献３】登録実用新案第２５１４３６６号
【発明の概要】
【発明が解決しようとする課題】
【０００７】
本発明は、特許文献２に開示のように、ケーシングがエア排出などに用いられるポートを備え、該ケーシング内にはエアポンプとタンクとが設けられて、該タンクとポートとを接続する接続管をケーシング内に設定する必要のある流体装置に関するものであり、接続管を、ケーシングに対して確実に設定保持できるようにすることを目的とする。
【課題を解決するための手段】
【０００８】
すなわち、本発明は、
内部空間を画定する周壁を有し、該周壁が、該内部空間と外部とを連通するポートが設けられたポート部を備えるケーシングと、
該ケーシング内に設定されて、該ポートに連通される流路を備える接続管と
を備える流体装置であって、
該ケーシングが、該内部空間内で該ポート部から間隔をあけて設けられ、該流路が該ポートに連通された該接続管を支持する接続管支持部であって、該ポート部に対向するポート部対向面と、該接続管を通す取付用開口部を備える接続管支持部を備え、
該接続管が、該ポート部の内側面に対向する接続管部と、該接続管の外周面から半径方向外側に延びて該接続管支持部と該ケーシングの該ポート部との間に設定される締着用突起とを有し、
該取付用開口部は、該接続管の該流路を該ポートに連通するために、該接続管を該ポートにその長手軸線方向で整合しながら該ポート部に近づけるときに、該接続管及び該接続管の外周面から突出する締着用突起を通すように形状付けられ、
該接続管は、該締着用突起が該取付用開口部を通過し、該接続管の該流路を該ポートに連通させた状態で、該接続管を該長手軸線の周りで回動することにより、該締着用突起が該接続管支持部とポート部との間に挿入されることにより該長手軸線方向で保持されるようにした流体装置を提供する。
【０００９】
この流体装置においては、接続管支持部が上述のような取付用開口部を備えているので、接続管をケーシング内側でポートに近づけ、その流路をポートに連通させることができると共に、締着用突起を接続管支持部とポート部との間に挿入することにより当該接続管の長手軸線方向での保持を確実に行うことができ、上述の特許文献に開示されるもののように接続管が排出管から外れて抜け出てしまうといったことを回避することができる。
【００１０】
具体的には、該締着用突起は、該締着用突起が該取付用開口部を通過した状態で該接続管を該長手軸線の周りで回動することにより、該接続管支持部の該ポート部対向面と摺動係合することにより該ポート部に向けて変位され、該接続管を該ポート部に向けて押圧するようにすることができる。該接続管を該ポート部に向けて押圧することにより、接続管をより確実に保持するものである。
【００１１】
より具体的には、該接続管が、該長手軸線の周りで環状とされて該ポート部の内側面に面する接続端面を有し、該接続管を該ポート部に向けて押圧されることにより該接続端面が該ポート部の内側面に向けて押圧するようにすることができる。また、該接続端面が該長手軸線の周りで環状とされたシールリングを支持し、該接続端面は該シールリングを介して該ポート部の内側面に向けて押圧されるようにすることができる。この場合、該接続管が、該接続端面から該ポート内に挿入されるように延びる接続管部を有するようにすることができる。
【００１２】
上記の如き流体装置において、更に、該締着用突起が、該長手軸線の周りで周方向に順に配置された薄肉部と厚肉部とを有し、該締着用突起が該取付用開口部を通過し、該接続管の該流路を該ポートに連通させた状態で当該接続管を該長手軸線の周りで回動するとき、薄肉部及び厚肉部の順で該接続管支持部の該ポート部対向面と摺動するようにされ、該薄肉部は該厚肉部に向かって周方向で次第に肉厚となるようにすることができる。このようにすることにより該接続管を該ポート部に向けて押圧を次第に大きくするものである。
【００１３】
また、上記のように締着用突起の肉厚を変化させるのではなく、該ポート部対向面における該締着用突起と摺動される部分が摺動方向において次第に該ポート部に近づくような傾斜面とすることで、同様な効果を奏することができる。  
【００１４】
上記の如き流体装置において、更に、該接続管及び該ケーシングの一方が、該接続管が該長手軸線の周りで回動されるときに、該接続管及び該ケーシングの他方に摺動係合して撓む弾性係合部を有し、該接続管及び該ケーシングの他方は、該接続管部の該ポート部の該内側面に向けての該押圧がなされたときに、該弾性係合部がスナップ係合して該接続管が逆方向に回動するのを阻止するスナップ係止部を有するようにすることができる。
【００１５】
また、該接続管支持部の該ポート部対向面が段部を有し、該接続管が該長手軸線の周りで回動されて該接続管部の該ポート部の該内側面に向けての該押圧がなされたときに、該回動方向で該段部が締着用突起と係合して該接続管が更に回動しないようにすることもできる。  
【００１６】
該ケーシングの周壁は、底壁部と、該底壁部の周縁から立ち上がる側壁部とを有し、該ポート部が該側壁部に設けられ、該接続管支持部が該ポート部から間隔を開けて該底壁部から立ち上がり該底壁部に平行な直線状の上縁部で終端する板状の形状とされ、該取付用開口部は該上縁部から該底壁部に向けて形成された凹部とすることができる。
【００１７】
以下、本発明に係る流体装置を添付図面に基づき説明する。
【図面の簡単な説明】
【００１８】
【図１】本発明の一実施形態としてのブロワの断面側面図であり、ケーシング内に収納されたエアポンプ、エアポンプからのエアを受け入れるタンク、及び、タンクとケーシングのエア排出ポートとを接続する接続管との関係を示す。
【図２】図１のケーシングの下部部分の断面側面図である。
【図３】図２のIII-III線に沿って見た断面図であり、ケーシングにおける接続管を取り付けるための接続管取付部を示す。
【図４】図２のIV-IV線に沿って見た断面図であり、接続管が接続されるエア排出ポートが設けられたケーシングのポート部を示す。
【図５】図２のV-V線に沿って見た断面図であり、ケーシングのエア排出ポートと接続管取付部との関係を示す。
【図６】接続管の側面図である。
【図７】図６の接続管の平面図である。
【図８】図６の接続管の左側面図である。
【図９】図６の接続管の右側面図である。
【図１０】図６の接続管の縦断側面図である。
【発明を実施するための形態】
【００１９】
図１に示す本発明に係る流体装置の一実施形態としてのブロワ１０は、ケーシング１２と、該ケーシング１２内に設けられたエアポンプ１４及びタンク１６とを有する。タンク１６は、エアポンプ１４の吐出孔１８から吐出される空気を受け入れ、ケーシング１２に設けられた排出ポート２０から排出する。
【００２０】
ケーシング１２は、上部部分２２−１と下部部分２２−２とからなりケーシング１２の内部空間２２−３を画定する周壁２２を有し、上部部分２２−１と下部部分２２−２との間には仕切り壁２６が設けられ、該仕切り壁２６の上にはエアポンプ１４が載置され、下には平面視で矩形状の鍋状のタンク部材１６−１がその上部周縁部１６−２を環状のシール部材２８を介して当該仕切り壁２６に当接するように設定されてタンク１６が形成されている。エアポンプ１４及びタンク１６については当業者にはよく知られているので詳細な説明は省略する。
【００２１】
図１に示すように、このブロワ１０においては、タンク１６と排出ポート２０とは接続管３０によって連通されている。図示の例では、該接続管３０には延長管３２が接続されており、タンク１６からのエアを当該接続管３０内に受け入れるエア導入口３３を排出ポート２０から遠くの位置として、タンク内から吐出されるエアの脈動を低減している。
【００２２】
ケーシング１２の下部部分２２−２は、図２乃至図５に示すように、底壁部３６と、該底壁部３６の周縁から上方に立ち上がる側壁部３６−１とを有している。側壁部３６−１はその外表面から突出するように設けられた排出ポート２０を備えるポート部３６−２を有している。底壁部３６にはポート部３６−２から間隔を開けて該ポート部３６−２に対向するように配置された接続管支持部３８が設けられている。この接続管支持部３８は、全体としては板状とされ、その上縁部３８−１から下方に延びるように形成された凹部としての取付用開口部３８−２を有し、この取付用開口部３８−２は排出ポート２０と該排出ポート２０の長手軸線Ａ方向で整合されている。図５に示すように、該接続管支持部３８の両側には該接続管支持部３８を補強するための第１補強壁部３８−３が底壁部３６から延びるようにして該接続管支持部３８と一体的に形成されており、また、図３及び図４に示すように、該接続管支持部３８の両側縁部とポート部３６−２との間には第２補強壁部３８−４がそれらを連結するように設けられている。
【００２３】
接続管３０は、図１に示すように均一な直径の通路（貫通孔）を有している。図６乃至図１０に示すように、該接続管３０は、ケーシング１２のポート部３６−２の内周面に当接される環状の接続端面３０−９と、該端面から伸長して排出ポート２０に挿入するために小径とされた接続管部３０−１と、該接続管部３０−１との間に接続端面３０−９を形成している大径円管部３０−２と、該大径円管部３０−２に続く六角管部３０−３及び中間円管部３０−４とを有し、延長管３２が接続される延長用管部３０−５で終端している。大径円管部３０−２には接続端面３０−９に隣接して直径方向で対向する位置から相互に半径方向外側に延びる締着用突起３０−６が設けられている。該締着用突起３０−６は、以下に述べるようにして、接続管支持部３８に係合することによりポート部３６−２に向けて変位され、接続端面３０−９をポート部３６-２の内周面に押圧するようにされている。図示の例では、接続端面３０−９はシールリング４０を収納する環状の溝３０−１０を有し、接続端面３０−９は該環状の溝３０−１０に設けられたシールリング４０を介してポート部３６−２の内周面に押圧されるようになされている。  
【００２４】
接続管３０をケーシング１２に取り付けるには、接続管３０を排出ポート２０に該排出ポート２０の長手軸線Ａ方向で整合した状態で、締着用突起３０−６が上下になるようにして該長手軸線Ａに沿ってポート部３６−２に近づけ、該接続管部３０−１を排出ポート２０内に挿入する（図１）。接続管支持部３８の取付用開口部３８−２は、このときの接続管３０の大径管部３０−２及び下向きとされた締着用突起３０−６を通すような形状とされている。接続管３０は、接続管部３０−１が排出ポート２０内に圧入され、締着用突起３０−６が取付用開口部３８−２を通過した後で、長手軸線Ａに周りで略９０°だけ図３で見て反時計方向に六角管部３０−３にスパナをかけ回動される。この回動が行われると、締着用突起３０−６が接続管支持部３８のポート部対向面３８−５と摺動しながら接続管支持部３８とポート部３６−２との間に挿入されていく。図６、図７及び図９から分かるように、締着用突起３０−６の接続管支持部３８に向かう面にはその回動方向から順に薄肉部３０−７及び厚肉部３０−８が設けられている。薄肉部３０−７は厚肉部３０−８に向かって周方向で次第に肉厚となる傾斜面が付けられており、該締着用突起が接続管支持部３８とポート部３６−２との間に挿入されていくに従って当該締着用突起がポート部３６-２に向かって次第に変位され、その結果、接続端面３０−９がポート部３６−２の内側表面に向けて押圧されるようになる。
【００２５】
図３は、接続管支持部３８のケーシング１２のポート部３６−２に対向するポート部対向面３８−５を示している。取付用開口部３８−２は、接続管３０の大径円管部３０−２を長手軸線Ａ方向で通すよう円弧状とされた左右の円弧状面３８−６と、締着用突起３０−６を長手軸線Ａ方向で通す矩形状部分を画定する矩形状凹面３８−７とを有している。ポート部対向面３８−５は各円弧状面３８−６の外側に沿って円弧状に形成され、接続管３０が回動されるときに締着用突起３０−６と摺動される左右の円弧状の摺動面３８-８が設けられている。該摺動面３８−８は、ポート部対向面３８−５の他の部分よりも凹ませて形成されており、図３で見て左側の摺動面３８−８は、上部にあった締着用突起３０−６の左側側縁が、接続管３０が略９０°回動された時点で係合する段部３８−９で終端している。
【００２６】
各締着用突起３０−６には、その半径方向外側に位置する片持ち梁状の弾性係合部４２が設けられている。図６、図７から分かるように、該弾性係合部４２は、締着用突起３０−６よりも接続管支持部３８のポート部対向面３８−５から離れた位置とされている。接続管支持部３８のポート部対向面３８−５には、接続管３０が上述のように回動されるときに該弾性係合部４２が摺動するように、締着用突起３０−６が摺動する上記円弧状の摺動面３８−８よりポート部３６−２に近くされた左右の弾性係合部摺動面３８−１０と、該弾性係合部摺動面３８−１０よりも更にポート部３６−２に近くされ弾性係合部摺動面３８−１０との間に段部３８−１１、３８−１２を形成する左右の段部形成面３８−１３、３８−１４とが設けられている。接続管３０が回動されるときに、下側の締着用突起３０−６から延びる弾性係合部４２は右側の段部３８−１１の垂直部分３８−１５に摺動係合して、接続管３０が略９０°回動されたときに、段部３８-１１の水平部分３８−１６に対してスナップ係合する（すなわち、垂直部分３８−１５によって押圧され弾性的に撓められていた弾性係合部４２が垂直部分３８−１５から外れ、解放されてその弾性力によって元の状態に戻り、段部３８-１１の水平部分３８−１６に係合されるようになる）。これにより接続管３０の逆方向への回動は阻止される。上側の締着用突起３０−６から延びる弾性係合部４２は図３で見て左上の弾性係合部摺動面３８−１０と左側の段部形成面３８−１４との間の段部３８−１２の水平部分３８−１７に係合するようになっている。
【００２７】
従って、接続管３０が上述のようにして略９０°回動されると、該接続管３０の締着用突起３０−６の厚肉部３０−８が接続管支持部３８のポート部対向面３８−５と摺動し、当該締着用突起３０-６が全体としてポート部３６−２に近づけられ、従って、当該接続管３０がポート部３６-２に向けて近づけられて、該接続管３０の接続端面３０−９がシールリング４０を介してポート部３６-２に向けて押圧され、これにより接続管３０の周囲とポート部３６−２との間の密封がはかられると共に、当該接続管３０が接続管支持部３８とケーシングとの間にしっかりと保持される。
る。
【００２８】
以上、本発明の実施形態につき述べたが、本発明はこれに限定されるものではない。本発明は、ケーシング１２の周壁に設けられる排出ポート２０に接続管３０を直接接続するとともに、排出ポート２０が設けられている周壁のポート部３６−２との間に間隔を開けて設けられる接続管支持部３８の取付用開口部３８−２に該接続管３０を通して支持することができるようにすることを基本的特徴とするものであり、接続管３０に設けた締着用突起３０−６の厚肉部３０−８が接続管支持部３８のポート部対向面３８−５と係合することにより接続管３０の接続端面３０−９をポート部３６−２に向けて押圧することにより当該接続管３０の取付けを確実にするという例だけではなく、接続端面３０−９を設けずに、接続管部３０−１を先端に向けて先細りとし、締着用突起３０−６が接続管支持部３８のポート部対向面３８−５と摺動することにより当該接続管３０がポート部３６−２側に変位されることにより、該接続管部３０−１が排出ポート２０内に圧入されるようにしたり、又は、接続端面３０−９をポート部３６−２に向けて押圧するのではなく、締着用突起３０−６を接続管支持部３８とポート部３６−２で挟着するようにしたりすることもできる。この挟着を行うには、上述の薄肉部３０−７から厚肉部３０−８に向けて肉厚の増す締着突起３０−６を設けてポート部３６−２と接続管支持部３８との間に圧入するようにしたり、又は、ポート部３６−２と接続管支持部３８との間の間隔を次第に狭くなるようにしたりすることができる。
【符号の説明】
【００２９】
ブロワ１０；ケーシング１２；エアポンプ１４；タンク１６；タンク部材１６−１；上部周縁部１６−２；吐出孔１８；排出ポート２０；周壁２２；上部部分２２−１；下部部分２２−２；内部空間２２−３；仕切り壁２６；シール部材２８；接続管３０；接続管部３０−１；大径管部３０−２；六角管部３０−３；中間円形管部３０−４；延長用管部３０−５；締着用突起３０−６；薄肉部３０−７；厚肉部３０−８；接続端面３０−９；延長管３２；エア導入口３３；底壁部３６；側壁部３６−１；ポート部３６−２；接続管支持部３８；上縁部３８−１；取付用開口部３８−２；第１補強壁部３８−３；第２補強壁部３８−４；ポート部対向面３８−５；円弧状面３８−６；矩形状凹面３８−７；摺動面３８-８；段部３８−９；弾性係合部摺動面３８−１０；段部３８−１１、３８−１２；段部形成面３８−１３、３８−１４；垂直部分３８−１５；水平部分３８−１６；水平部分３８−１７；シールリング４０；弾性係合部４２；長手軸線Ａ
【図１】
0005712161.tif 000002
【図２】
0005712161.tif 000003
【図３】
0005712161.tif 000004
【図４】
0005712161.tif 000005
【図５】
0005712161.tif 000006
【図６】
0005712161.tif 000007
【図７】
0005712161.tif 000008
【図８】
0005712161.tif 000009
【図９】
0005712161.tif 000010
【図１０】
0005712161.tif 000011